(57)【要約】【課題】ファンおよび回転駆動部を支持する取付脚の装着に関して作業性の改善が図れるファンシュラウド、熱交換器一体型ファンシュラウドおよび送風装置を提供する。【解決手段】台座部材５は、リング状部３１に固定された固定部５１、固定部５１から離間した位置の装着部５０、および固定部５１と装着部５０とを連結する側壁部５２を有する。ボルト６は、頭部６１をリング状部３１側に位置させた状態で雄ねじ部６０が挿通されている。支持部８は、一端側部８０がリング状部３１に固定され他端側部８１が頭部６１に対向しボルト６の脱落を阻止する。回り止め部７は、頭部６１に一体に設けられて支持部８の他端側部８１よりも外側において一端側部８０側へ向けて突出する突出部７１を有する。回り止め部７は、雄ねじ部６０に対するナット６２の締め付けにより突出部７１が台座部材５に接触してボルト６の回転を規制する。【選択図】図９
2018122754.tif 000002
【特許請求の範囲】
【請求項１】
ファン（４０）を取り囲む形状を有するシュラウド部（３１）と、
前記シュラウド部に固定された固定部（５１）、前記固定部から離間した位置に設けられた装着部（５０）、および、前記固定部と前記装着部とを連結する側壁部（５２）を有し、前記装着部には前記ファンを回転駆動する回転駆動部（４１）を支持する取付脚（４４）が装着される台座部材（５）と、
前記装着部に前記取付脚を固定するために雌ねじ部（６２）に螺合する雄ねじ部（６０）と頭部（６１）とを有し、前記雄ねじ部の外径寸法よりも大きい内径寸法で前記装着部に形成された貫通孔（５０ａ）に、前記頭部を前記シュラウド部側に位置させた状態で前記雄ねじ部が挿通されている締結部材（６）と、
一端側部（８０）が前記シュラウド部に固定されて他端側部（８１）が前記頭部に対向するように設置されて、前記雄ねじ部が前記貫通孔から抜けないように前記締結部材の脱落を阻止する支持部（８）と、
前記頭部に一体に設けられて、前記支持部の前記他端側部よりも外側において前記一端側部側へ向けて突出している突出部（７１）を有する回り止め部（７）と、
を備え、
前記回り止め部は、前記雄ねじ部に対する前記雌ねじ部の締め付けによって前記突出部が前記台座部材に接触して前記締結部材の回転を規制するファンシュラウド。
【請求項２】
前記突出部は、前記台座部材の前記側壁部に対面するように設けられた板状部である請求項１に記載のファンシュラウド。
【請求項３】
前記突出部は、前記支持部の前記他端側部の両側のそれぞれにおいて突出している請求項１に記載のファンシュラウド。
【請求項４】
前記突出部は、前記支持部の前記他端側部よりも前記一端側部側へ位置するように突出している請求項３に記載のファンシュラウド。
【請求項５】
前記側壁部は、前記装着部の両側端部のそれぞれにおいて前記装着部と前記固定部とを連結し、
前記台座部材は、両方の前記側壁部に隣り合う背壁部（５３）をさらに有し、前記背壁部と対向する正面側が開放する構成である請求項１から請求項４のいずれか一項に記載のファンシュラウド。
【請求項６】
前記突出部は、前記雄ねじ部に対する前記雌ねじ部の締め付けに応じて前記側壁部と前記背壁部の両方に接触可能な位置に設けられている請求項５に記載のファンシュラウド。
【請求項７】
前記回り止め部は、折り曲げられた板材によって形成されている請求項１から請求項６のいずれか一項に記載のファンシュラウド。
【請求項８】
前記支持部は、折り曲げられた板材によって形成されている請求項１から請求項７のいずれか一項に記載のファンシュラウド。
【請求項９】
ファン（４０）を取り囲む形状を有するシュラウド部（３１）と、
前記シュラウド部に固定された固定部（５１）、前記固定部から離間した位置に設けられた装着部（５０）、および、前記固定部と前記装着部とを連結する側壁部（５２）を有し、前記装着部には前記ファンを回転駆動する回転駆動部（４１）を支持する取付脚（４４）が装着される台座部材（５）と、
前記装着部に前記取付脚を固定するために雌ねじ部（６２）に螺合する雄ねじ部（６０）と頭部（６１）とを有し、前記雄ねじ部の外径寸法よりも大きい内径寸法で前記装着部に形成された貫通孔（５０ａ）に、前記頭部を前記シュラウド部側に位置させた状態で前記雄ねじ部が挿通されている締結部材（６）と、
前記頭部よりも外側において前記頭部の側面に対向する回転阻止部（２７１，３７１）を有し、前記雄ねじ部に対する前記雌ねじ部の締め付けによって前記頭部の側面が前記回転阻止部に接触して前記締結部材の回転を規制する回り止め部（２０７，３０７）と、
一端側部（８０）が前記シュラウド部に固定されて、前記頭部に対向する他端側部（８１）に前記回り止め部が設けられて、前記雄ねじ部が前記貫通孔から抜けないように前記締結部材の脱落を阻止する支持部（８）と、
を備えるファンシュラウド。
【請求項１０】
前記回転阻止部は、前記頭部の前記側面のうち、対向する位置関係にある前記側面に対向している請求項９に記載のファンシュラウド。
【請求項１１】
請求項１から請求項１０のいずれか一項に記載のファンシュラウド（３）と、
前記ファンシュラウドが装着されている熱交換器（２）と、
を備える熱交換器一体型ファンシュラウド。
【請求項１２】
請求項１から請求項１０のいずれか一項に記載のファンシュラウド（３）と、
ファン（４０）と、
前記ファンを回転駆動する回転駆動部（４１）と、
前記ファンシュラウドが備える前記台座部材に装着されており、前記回転駆動部を支持する複数の取付脚（４４）と、
を備える送風装置。
【発明の詳細な説明】
【技術分野】
【０００１】
この明細書における開示は、ファンシュラウド、熱交換器一体型ファンシュラウドおよび送風装置に関する。
【背景技術】
【０００２】
特許文献１には、ラジエータに対して送風する送風装置が開示されている。この送風装置は、ファン、ファンを回転駆動する回転駆動部、および回転駆動部を支持する取付脚を一体にしたファン駆動装置を、ラジエータに固定されるファンシュラウドに装着する構成を有している。
【先行技術文献】
【特許文献】
【０００３】
【特許文献１】特開平１１−９１３６８号公報
【発明の概要】
【発明が解決しようとする課題】
【０００４】
特許文献１に記載の図面によれば、４本の取付脚のそれぞれの先端側の部分をシュラウドに対してボルト締めすることにより、ファン駆動装置をシュラウドに装着する構成が読み取れる。ファン駆動装置は重量物であるので、複数の取付脚をファンシュラウドに装着する作業は重労働であり、その作業性を高めることが求められている。
【０００５】
そこで、この明細書における開示の目的は、ファンおよび回転駆動部を支持する取付脚の装着に関して作業性の向上が図れるファンシュラウド、熱交換器一体型ファンシュラウドおよび送風装置を提供することである。
【課題を解決するための手段】
【０００６】
この明細書に開示された複数の態様は、それぞれの目的を達成するために、互いに異なる技術的手段を採用する。また、特許請求の範囲およびこの項に記載した括弧内の符号は、ひとつの態様として後述する実施形態に記載の具体的手段との対応関係を示す一例であって、技術的範囲を限定するものではない。
【０００７】
開示されたファンシュラウドのひとつは、ファン（４０）を取り囲む形状を有するシュラウド部（３１）と、シュラウド部に固定された固定部（５１）、固定部から離間した位置に設けられた装着部（５０）、および、固定部と装着部とを連結する側壁部（５２）を有し、装着部にはファンを回転駆動する回転駆動部（４１）を支持する取付脚（４４）が装着される台座部材（５）と、装着部に取付脚を固定するために雌ねじ部（６２）に螺合する雄ねじ部（６０）と頭部（６１）とを有し、雄ねじ部の外径寸法よりも大きい内径寸法で装着部に形成された貫通孔（５０ａ）に、頭部をシュラウド部側に位置させた状態で雄ねじ部が挿通されている締結部材（６）と、一端側部（８０）がシュラウド部に固定されて他端側部（８１）が頭部に対向するように設置されて、雄ねじ部が貫通孔から抜けないように締結部材の脱落を阻止する支持部（８）と、頭部に一体に設けられて、支持部の他端側部よりも外側において一端側部側へ向けて突出している突出部（７１）を有する回り止め部（７）と、を備え、
回り止め部は、雄ねじ部に対する雌ねじ部の締め付けによって突出部が台座部材に接触して締結部材の回転を規制する。
【０００８】
このファンシュラウドによれば、回り止め部が頭部に一体に固定されているので、取付脚を台座部材に固定する作業の際に雌ねじ部を回転させて締めると、頭部とともに回り止め部の突出部が回り始める。回り始めた突出部は台座部材に接触して締結部材の回転を規制するので、雄ねじ部に対して雌ねじ部を回転させることができる。さらに、頭部が支持部の他端側部に対向しているため、締結部材が装着部から脱落しない状態を維持することができ、この状態で締結部材に対して雌ねじ部を回転動作させることができる。これらにより、取付脚の固定作業において、締結部材が装着部から脱落しない安定した状態で、締結部材に対して雌ねじ部を締めつけできるとともに装着部に対して締結部材が過剰に回り過ぎることを抑制できる。したがって、ファンおよび回転駆動部を支持する取付脚の装着に関して作業性の向上が図れるファンシュラウドを提供できる。
【０００９】
開示されたファンシュラウドのひとつは、ファン（４０）を取り囲む形状を有するシュラウド部（３１）と、シュラウド部に固定された固定部（５１）、固定部から離間した位置に設けられた装着部（５０）、および、固定部と装着部とを連結する側壁部（５２）を有し、装着部にはファンを回転駆動する回転駆動部（４１）を支持する取付脚（４４）が装着される台座部材（５）と、装着部に取付脚を固定するために雌ねじ部（６２）に螺合する雄ねじ部（６０）と頭部（６１）とを有し、雄ねじ部の外径寸法よりも大きい内径寸法で装着部に形成された貫通孔（５０ａ）に、頭部をシュラウド部側に位置させた状態で雄ねじ部が挿通されている締結部材（６）と、頭部よりも外側において頭部の側面に対向する回転阻止部（２７１，３７１）を有し、雄ねじ部に対する雌ねじ部の締め付けによって頭部の側面が回転阻止部に接触して締結部材の回転を規制する回り止め部（２０７，３０７）と、一端側部（８０）がシュラウド部に固定されて、頭部に対向する他端側部（８１）に回り止め部が設けられて、雄ねじ部が貫通孔から抜けないように締結部材の脱落を阻止する支持部（８）と、を備える。
【００１０】
このファンシュラウドによれば、雄ねじ部に対する雌ねじ部の締め付けによって頭部の側面が回り止め部の回転阻止部に接触するように回転阻止部が頭部の側面に対向している。この構成により、取付脚を台座部材に固定する作業の際に雌ねじ部を回転させて締めると、支持部の他端側部に設けられた回転阻止部が締結部材の回転を規制するので、雄ねじ部に対して雌ねじ部を回転させることができる。さらに、頭部が支持部の他端側部に対向しているため、締結部材が装着部から脱落しない状態を維持することができ、この状態で締結部材に対して雌ねじ部を回転動作させることができる。これらにより、取付脚の固定作業において、締結部材が装着部から脱落しない安定した状態で、締結部材に対して雌ねじ部を締めつけできるとともに、装着部に対して締結部材が過剰に回り過ぎることを抑制できる。したがって、ファンおよび回転駆動部を支持する取付脚の装着に関して作業性の改善が図れるファンシュラウドを提供できる。
【００１１】
この開示は、上記のファンシュラウド（３）と、ファンシュラウドが装着されている熱交換器（２）と、を備える熱交換器一体型ファンシュラウドを提供する。
【００１２】
この開示は、上記のファンシュラウド（３）と、ファン（４０）と、ファンを回転駆動する回転駆動部（４１）と、ファンシュラウドが備える台座部材に装着されており、回転駆動部を支持する複数の取付脚（４４）と、を備える送風装置を提供する。
【図面の簡単な説明】
【００１３】
【図１】第１実施形態に関する、送風装置、ラジエータ、およびエンジンを示す斜視図である。
【図２】送風装置、ラジエータ、およびエンジンをファン駆動装置側から見た背面図である。
【図３】送風装置を示す斜視図である。
【図４】ラジエータ、ファンシュラウド、ファン駆動装置を示す分解斜視図である。
【図５】ラジエータ、ファンシュラウド、ファン駆動装置を示す分解側面図である。
【図６】第１実施形態の台座部、締結部材、回り止め部材および支持部材を示す正面図である。
【図７】図６をVII方向に図示した平面図である。
【図８】図６をVIII方向に図示した平面図である。
【図９】第１実施形態について、取付脚を台座部材に固定した状態を示す正面図である。
【図１０】図９をＸ方向に図示した平面図である。
【図１１】図９をXI方向に図示した平面図である。
【図１２】比較例としての台座部、締結部材、回り止め部材等を示す正面図である。
【図１３】図１２をXIII方向に図示した平面図である。
【図１４】図１２をXIV方向に図示した平面図である。
【図１５】比較例について、取付脚を台座部材に固定した状態を示す正面図である。
【図１６】第２実施形態の台座部、締結部材、回り止め部材および支持部材を示す正面図である。
【図１７】図１６をXVII方向に図示した平面図である。
【図１８】図１６をXVIII方向に図示した平面図である。
【図１９】第２実施形態について、取付脚を台座部材に固定した状態を示す正面図である。
【図２０】図１９をXX方向に図示した平面図である。
【図２１】図１９をXXI方向に図示した平面図である。
【図２２】第３実施形態の台座部、締結部材、回り止め部材および支持部材を示す正面図である。
【図２３】図２２をXXIII方向に図示した平面図である。
【図２４】図２２をXXIV方向に図示した平面図である。
【図２５】第３実施形態について、取付脚を台座部材に固定した状態を示す正面図である。
【図２６】図２５をXXVI方向に図示した平面図である。
【図２７】図２５をXXVII方向に図示した平面図である。
【図２８】第４実施形態の台座部、締結部材、回り止め部材および支持部材を示す正面図である。
【図２９】図２８をXXIX方向に図示した平面図である。
【図３０】図２８をXXX方向に図示した平面図である。
【図３１】第４実施形態について、取付脚を台座部材に固定した状態を示す正面図である。
【図３２】図３１をXXXII方向に図示した平面図である。
【図３３】図３１をXXXIII方向に図示した平面図である。
【図３４】他の形態についてファンシュラウドと複数の取付脚との位置関係を示す背面図である。
【図３５】他の形態についてファンシュラウドと複数の取付脚との位置関係を示す背面図である。
【発明を実施するための形態】
【００１４】
以下に、図面を参照しながら本開示を実施するための複数の形態を説明する。各形態において先行する形態で説明した事項に対応する部分には同一の参照符号を付して重複する説明を省略する場合がある。各形態において構成の一部のみを説明している場合は、構成の他の部分については先行して説明した他の形態を適用することができる。各形態で具体的に組み合わせが可能であることを明示している部分同士の組み合わせばかりではなく、特に組み合わせに支障が生じなければ、明示していなくても形態同士を部分的に組み合せることも可能である。
【００１５】
（第１実施形態）
第１実施形態に関して、図１〜図１５を参照して説明する。各図におけるＨ１方向は、上下方向に相当し、Ｗ１方向は車両幅方向、エンジン１とラジエータ２およびファンシュラウド３との並び方向に相当し、Ｆ１方向は、送風装置２３４の送風方向、ラジエータ２とファンシュラウド３との並び方向に相当する。第１実施形態のファンシュラウド３、熱交換器一体型ファンシュラウド２３、送風装置２３４は、自動車、建機用車両、作業車両、バス車両、その他の大型車両等に搭載可能な装置である。ファンシュラウド３は、ファン４０を回転駆動する回転駆動部を支持する複数の取付脚４４が装着可能な風洞部材である。第１実施形態では、一例としてバス車両に搭載されるファンシュラウド３、熱交換器一体型ファンシュラウド２３、送風装置２３４について説明する。
【００１６】
図１および図２に示すように、バスには、後部に、水冷式のエンジン１と、エンジン１の冷却水を冷却するためにエンジン１のクランク軸に対して一方側に偏った位置に設けられたラジエータ２と、が搭載されている。エンジン１は、クランク軸が後方へ突出するようにシャシ１０をなす一対のサイドフレーム１１とサイドフレーム１２の間に設けられ、サイドフレーム１１、サイドフレーム１２のそれぞれに対してブラケット１４、ブラケット１５を介して取り付けられている。
【００１７】
ラジエータ２は、エンジン１の冷却水を冷却する装置であり、ファンシュラウド３が装着される熱交換器の一例である。ラジエータ２は、サイドフレーム１２とシャシ１０の一つであるサイドフレーム１３と間の上方に、車幅方向および上下方向にわたって延びるような形状で設けられている。図１〜図５に示すように、ラジエータ２は、ラジエータ２の一方の面、例えば後方に向けられた面に、ファンシュラウド３が装着されている。ファンシュラウド３は、その外周縁部３０とラジエータ２が収納されたフレーム２０とがボルト、ナット等の締結部材による固定手段や溶接結合によって固定されることにより、装着されている。ラジエータ２とファンシュラウドを一体に結合した組立て品は、熱交換器一体型ファンシュラウド２３である。
【００１８】
ファンシュラウド３は、ファン４０および従動プーリ４１を含むファン駆動装置４を複数の取付脚４４を介して支持する。ファンシュラウド３、ファン４０、ファンを回転駆動する回転駆動部としての従動プーリ４１、および複数の取付脚４４は、送風装置２３４を構成する。ファン４０は、ラジエータ２の一方の面に対向するように、ファンシュラウド３のリング状部３１に取り囲まれるようにファンシュラウド３の内側に収容されている。ファン４０は、エンジン１のクランク軸と平行に設けられ、ファンシュラウド３に軸受を介して回転可能に支持されたファン軸を備えている。リング状部３１はファン４０を取り囲む形状であり、リング状部３１を含むリング状部３１から外周縁部３０まで放射状に広がる風洞部は、外周縁部３０の前方の空気がリング状部３１の内周面３１ａの内側に吸い込まれるファンシュラウド３のシュラウド部に相当する。
【００１９】
ラジエータ２の下面の車幅方向両端には、後方に突出する一対の脚部２１が固定されている。エンジン１側に位置する脚部２１はサイドフレーム１２にブラケット１６を介して取り付けられ、もう一つの脚部２１はサイドフレーム１３にブラケット１７を介して取り付けられている。また、ラジエータ２の上部両端についても、車両を構成するフレームにブラケットを介して取り付けられている。
【００２０】
ファン軸には、アームの基端が軸受を介して回動可能に嵌入されており、アームの先端にはファン軸と平行なアイドル軸が固着されている。アイドル軸には、外周面に二つのＶ溝を有するアイドルプーリ４２が軸受を介して回転可能に取り付けられている。ファン軸の後端には、外周面に一つのＶ溝を有する従動プーリ４１がキーを介して嵌着されている。エンジン１のクランク軸には、一つのＶ溝を有する駆動プーリが嵌着されている。アイドルプーリ４２において後方側に位置するＶ溝とエンジン１のクランク軸に軸受を介して回転可能に取り付けられた駆動プーリのＶ溝とには、ファンベルトが掛け渡されている。従動プーリ４１のＶ溝とアイドルプーリ４２の前方側に位置するＶ溝とには、ファンベルト４３が掛け渡されている。
【００２１】
ファンシュラウド３に装着されるファン駆動装置４は、ファン４０、ファン４０を回転させるための駆動部品を含むため、その重量は大きい。例えばバス車両等の大型車に搭載する場合には、ファン駆動装置４は、立てた状態のファンシュラウド３に対してファン駆動装置４を取り付ける装着作業を行う作業者にとって重量物である。作業者は、例えば、複数の取付脚４４を所定の部材に仮固定する際に、ファン駆動装置４を支えながら、各取付脚４４の先端側に設けられた貫通孔にボルト６，９等の締結部材の雄ねじ部を挿し通す動作をする必要があり、作業者の負担は小さくない。
【００２２】
作業者は、取付脚４４の取付用板４５の貫通孔に基準ボルトであるボルト６を通して、立てた状態のファンシュラウド３に対してファン駆動装置４を仮置きした状態に設置する。作業者は仮置き状態において基準ボルトのボルト６と基準ボルト以外のボルト９とを締めて仮固定の状態にする。さらに作業者は、この仮固定の状態でファン軸とリング状部３１の内周面３１ａの中心軸とが同軸になるように位置調整して調心する作業を行い、調心が適正である状態で締結部材を締め付ける作業を行って取付脚４４を強固に装着する。締め付け作業においても、スムーズに動作を行えることは、熱交換器一体型ファンシュラウド２３や送風装置２３４に関して生産性を高めるために有用である。ファンシュラウド３は、これらのことを勘案して、優れた効果を奏する構成を提供する。以下、当該構成について図６〜図１５を参照して説明する。
【００２３】
図６〜図１１に図示するように、ファンシュラウド３は、複数の取付脚４４のそれぞれをファンシュラウド３に装着するために、台座部材５、ボルト６等の締結部材、支持部８、および回り止め部７を少なくとも備える。各取付脚４４の先端側には、締結部材の一例であるボルト６やボルト９を通すための貫通孔が設けられた取付用板４５が一体に設けられている。ボルト６は、後述する回り止め効果が得られる締結部材を構成し、装着部５０に取付脚４４を固定するためにナット６２の雌ねじ部に螺合する雄ねじ部６０と頭部６１とを有する。ボルト９は、装着部５０に取付脚４４を固定するためにナット９２の雌ねじ部に螺合する雄ねじ部９０と頭部９１とを有する。
【００２４】
図４に示すように、ファンシュラウド３には、取付脚４４と同数分の台座部材５が固定されている。図示する例では、取付脚４４と台座部材５は、それぞれ４個である。したがって、各装着部５０には、一つの取付脚４４が装着される。すべての台座部材５は、同じ形状、構成である。ファンシュラウド３が備える、取付脚４４と同数の台座部材５のうち、上側に固定された二つの台座部材５には回り止め部７と一体になったボルト６等の締結部材が設置されており、ボルト６とリング状部３１との間には支持部８がリング状部３１に固定されて設けられている（図４参照）。
【００２５】
装着部５０には、二つの貫通孔が長手方向に並ぶように設けられている。この上側の台座部材５の装着部５０には、ボルト６の頭部６１をシュラウド部側に位置させるように、外側に位置させる雄ねじ部６０を挿通するための貫通孔５０ａが一つ設けられている。上側の台座部材５の装着部５０には、さらに、貫通孔５０ａの横に、ボルト９の頭部９１を外側に位置させて、シュラウド部側に位置させる雄ねじ部９０を挿通するための貫通孔５０ｂが設けられている。したがって、上側の台座部材５の装着部５０には、貫通孔５０ａと貫通孔５０ｂが長手方向に並ぶように設けられている。上側の台座部材５においては、回り止め機能が得られる締結部材を用いて取付脚４４を固定することができる。
【００２６】
上側以外の残りの二つの台座部材５の装着部５０には、ボルト９の頭部９１を外側に位置させて、シュラウド部側に位置させる雄ねじ部９０を挿通するための貫通孔５０ｂが少なくとも一つ設けられている。したがって、上側以外の残りの台座部材５の装着部５０には、二つの貫通孔５０ｂが長手方向に並ぶように設けられている。貫通孔５０ａ、貫通孔５０ｂはいずれも、挿通されるボルトの雄ねじ部の外径寸法よりも大きい内径寸法を有している。
【００２７】
図６〜図８に示すように、台座部材５は、リング状部３１に固定された固定部５１、固定部５１から離間した位置に設けられた装着部５０、および、固定部５１と装着部５０とを連結する側壁部５２を有して形成されている。固定部５１は、シュラウド部の一例であるリング状部３１に面接触する平面を備えた平板状であり、装着部５０と平行に延びる形状である。側壁部５２は、装着部５０の両側端部のそれぞれにおいて装着部５０と固定部５１とを連結する平板状部である。台座部材５はシュラウド部側から離間した装着部５０の３辺からシュラウド部側に延びる三つの壁部を有する。対向する一対の側壁部５２と側壁部５２に隣り合う背壁部５３とが三つの壁部である。台座部材５は、装着部５０の４辺とリング状部３１とを結ぶ４面のうち、一対の側壁部５２と背壁部５３とで３面が壁で遮蔽されており、背壁部５３と対向する正面側が開放する構成である。台座部材５は、上記構成を有する形状になるように、鋼板等の折り曲げられた板材によって形成されている。
【００２８】
支持部８は、一端側部８０がシュラウド部に固定されて他端側部８１がボルト６の頭部６１に対向するように設置されている。図６、図８に図示するように、支持部８は、雄ねじ部６０が貫通孔５０ａに挿通された状態のボルト６が貫通孔５０ａから抜けないように支持する機能を有する。支持部８は、リング状部３１に固定される平板状の一端側部８０と、装着部５０側に位置する平板状の他端側部８１と、一端側部８０と他端側部８１と連結する平板状の立壁部８２と、を有して一体に形成されている。一端側部８０、他端側部８１は、装着部５０と平行に延びる形状である。支持部８は、上記の構成を有する形状となるように、折り曲げられた鋼板等の板材によって形成されている。
【００２９】
回り止め部７は、頭部６１に一体に設けられる平板状の基部７０と、支持部８の他端側部８１よりも外側において一端側部８０側へ向けて突出している平板状の突出部７１とを有して、一体に形成されている。基部７０は、ボルト６の軸部が挿通可能な内径を有する貫通孔を有している。基部７０は、貫通孔に挿通された状態のボルト６における頭部６１との接触部が溶接されることにより、ボルト６と一体物になっている。基部７０は、基部７０を変形させて頭部６１の側面に対してかしめることによって、ボルト６と一体物になる構成でもよい。突出部７１は、基部７０における両端部のそれぞれから一端側部８０側へ向けて突出している。突出部７１の先端は、他端側部８１よりも一端側部８０側に位置している。回り止め部７は、上記構成を有する形状になるように、鋼板等の折り曲げられた板材によって形成されている。
【００３０】
上記構成によれば、図９〜図１１に示すように、ナット６２を回転させて締め付けると、回転トルクの大きさに応じて頭部６１も回転するようになる。このとき、頭部６１と一体である回り止め部７も供回りする。回り止め部７の回転角度が所定の角度以上になると突出部７１が側壁部５２または背壁部５３に接触するため、それ以上、頭部６１は回転しなくなり締結部材にロック機能が作用する。このように頭部６１をロックさせた状態で雌ねじ部側を締める続けることができるので、これ以上締められないところまで雌ねじ部側を締めることが可能である。したがって、締結部材の締め付け作業を円滑に実施でき、確実な締結力を発揮させることができる。さらに、回り止め部７をロックした状態で雌ねじ部側を締める続けることができるので、装着部５０とシュラウド部との間に差し込んでいたとしても作業者の指等に回転状態の突出部７１が接触するような事態を回避できる。
【００３１】
図１２〜図１５に示す比較例としての支持部１００の場合、一端側部１００ａがシュラウド部に固定されて他端側部１００ｂがボルト６の頭部６１に固定されて一体になっている。支持部１００は、それぞれ装着部５０と平行に延びる形状である、一端側部１００ａおよび他端側部１００ｂと、一端側部１００ａと他端側部１００ｂとを連結する平板状の立壁部１００ｃと、を備えている。比較例の場合、図１３に示すように、ナット６２を右回しに締め付けると、回転トルクの大きさに応じて頭部６１も右回りに回転するようになる。このとき、頭部６１と一体である支持部１００も供回りする。支持部１００は立壁部１００ｃが側壁部５２側に回転変位するように供回りするので、一端側部１００ａや他端側部１００ｂが背壁部５３に接触しない大きさである場合には、支持部１００は供回りし続けて締結部材にロック機能が作用しないことになる。
【００３２】
支持部１００は、ボルトの脱落を防止する機能と回り止めの機能とを併せ持たすように構成された部材であるが、その寸法によっては回り止め機能が発揮できないことの他に、頭部６１と他端側部１００ｂとを固定した状態で取り付できない装着ができないという問題がある。つまり、頭部６１と他端側部１００ｂとを固定した状態の一体物は、装着部５０とリング状部３１との間のスペースから、貫通孔５０ａに雄ねじ部６０を挿し通すことができない。したがって、他端側部１００ｂの貫通孔を装着部５０の貫通孔５０ａに合わせた状態に保持して、ボルト６だけを両方の貫通孔に挿し通した後、ボルト６が脱落しないように支持する機構が必要となる。このように別途の支持機構を有する必要があり、支持機構によってボルト６を支持した状態で、頭部６１と他端側部１００ｂとを固定するための溶接やかしめを実施しなければならず、作業性が著しく悪い。支持部８と回り止め部７とを備える上記構成は、比較例における問題点を解消できる特有の効果を奏する。
【００３３】
次に、第１実施形態がもたらす作用、効果について説明する。ファンシュラウド３は、ファン４０を取り囲む形状を有するシュラウド部と、シュラウド部に固定された台座部材５と、装着部に取付脚を固定するための締結部材と、締結部材の脱落を阻止する支持部８と、締結部材の回転を規制する回り止め部７と、を備える。台座部材５は、シュラウド部に固定された固定部５１、固定部５１から離間した位置に設けられた装着部５０、および、固定部５１と装着部５０とを連結する側壁部５２を有する。装着部５０には、ファン４０の回転駆動部を支持する取付脚４４が装着される。締結部材は、装着部５０に取付脚４４を固定するためにナット６２等の雌ねじ部に螺合する雄ねじ部６０と頭部６１とを有する。締結部材は、雄ねじ部６０の外径寸法よりも大きい内径寸法で装着部５０に形成された貫通孔５０ａに、頭部６１をシュラウド部側に位置させた状態で雄ねじ部６０が挿通されている。支持部８は、一端側部８０がシュラウド部に固定されて他端側部８１が頭部６１に対向するように設置されて、雄ねじ部６０が貫通孔５０ａから抜けないように締結部材を可能である。回り止め部７は、頭部６１に一体に設けられている。回り止め部７は、他端側部８１よりも外側において一端側部８０側へ向けて突出している突出部７１を有する。回り止め部７は、雄ねじ部６０に対する雌ねじ部の締め付けによって突出部７１が台座部材５に接触して締結部材の回転を規制する。
【００３４】
このファンシュラウド３によれば、回り止め部７が頭部６１に一体であるので、取付脚４４を台座部材５に固定する作業時にナット６２を回転させて締めると、頭部６１と回り止め部７の突出部７１が供回りし始める。回り始めた突出部７１は台座部材５に接触して締結部材の回転を規制するので、雄ねじ部６０に対してナット６２を締め続けることができる。さらに、頭部６１が支持部８の他端側部８１に対向しているため、締結部材が装着部５０から脱落しない状態を維持でき、この状態で締結部材に対してナット６２を回転動作させることができる。これらにより、取付脚４４の固定作業において、締結部材が装着部５０から脱落しない安定した状態で、締結部材に対してナット６２を締めつけできるとともに、装着部５０に対して締結部材や突出部７１が過剰に回り過ぎることを抑制できる。したがって、ファン４０および回転駆動部を支持する取付脚４４の装着に関して作業性の向上が図れるファンシュラウド３を提供できる。
【００３５】
また、上記構成のファンシュラウド３によれば、回り止め部７と支持部８との別部品として構成する。このため、頭部６１をシュラウド部側に向けた状態で、回り止め部７と一体のボルト６等の雄ねじ部６０を貫通孔５０ａに対して挿通し、頭部６１とシュラウド部との間に支持部８を挿入設置して、一端側部８０をシュラウド部に固定することができる。したがって、頭部６１を支持部８で支持可能なボルト６が脱落しない状態で、支持部８を固定することができるので、複数の取付脚４４をファンシュラウド３に装着するための部材に関して、生産性を高めることができる。
【００３６】
突出部７１は、台座部材５の側壁部５２に対面するように設けられた板状部である。この構成によれば、板状の突出部７１の表面が側壁部５２に対面しているため、ナット６２を回転させることによりボルト６と供回りする突出部７１における回転方向の両端部のいずれかを小さい回転角でも側壁部５２に接触させることができる。
【００３７】
突出部７１は、支持部８の他端側部８１の両側のそれぞれにおいて一端側部８０側へ突出している。この構成によれば、製造工程において頭部６１とリング状部３１との間に支持部８を設置する際に、支持部８の位置の目標として、離間している突出部７１と突出部７１との間に他端側部８１が位置するように支持部８を設置することができる。
【００３８】
さらに突出部７１は、支持部８の他端側部８１の両側のそれぞれにおいて突出し、他端側部８１よりも一端側部８０側へ位置するように突出している。この構成によれば、製造工程において頭部６１とリング状部３１との間に支持部８を設置する際に、支持部８が突出部７１に当たることによって、支持部８の位置のずれ幅を抑制することができる。
【００３９】
側壁部５２は、装着部５０の両側端部のそれぞれにおいて装着部５０と固定部５１とを連結する。台座部材５は、両方の側壁部５２に隣り合う背壁部５３をさらに有し、背壁部５３と対向する正面側が開放する構成である。この構成によれば、台座部材５は、装着部５０とシュラウド部（リング状部３１）との間を装着部５０の３辺から延びて覆う三つの壁部を備える。これにより、残りの開放された正面側から、ボルト６と回り止め部７の一体物を差し込んで設置することができる。さらに、この一体物の雄ねじ部６０が貫通孔５０ａに挿通された状態で、頭部６１とリング状部３１との間に支持部８を設置して、一端側部８０とリング状部３１とを溶接等により結合する作業を行うことができる。
【００４０】
この構成に加えて、さらに突出部７１が支持部８の他端側部８１の両側のそれぞれにおいて突出している構成である場合には、締結部材を締め付けによって回り始めた両側の突出部７１のうちのいずれかを背壁部５３に接触させることが可能である。したがって、ボルト６と供回りする回り止め部７の回転角範囲を抑えることができ、スムーズな装着作業に貢献できる。
【００４１】
突出部７１は、雄ねじ部６０に対するナット６２の雌ねじ部の締め付けに応じて側壁部５２と背壁部５３の両方に接触可能な位置に設けられている。この構成によれば、ナット６２を回転させることによりボルト６と供回りする突出部７１を側壁部５２および背壁部５３のいずれかに接触させることができる。したがって、装着部５０の貫通孔５０ａにボルト６の雄ねじ部６０を挿通した状態において突出部７１が台座部材５に対してどの位置に設置されたとしても、締結作業において回り止め機能を確実に発揮できる突出部７１を提供できる。
【００４２】
回り止め部７は、折り曲げられた板材によって形成されている。この構成によれば、鋼板をプレス加工や折り曲げ加工することによって、前述の回り止め機能を発揮できる回り止め部７を製造できるので、剛性が高く、生産性に優れた取付脚装着用部材を提供できる。また、折り曲げる前の板材の幅寸法を調整することで、突出部７１が回り止め機能を発揮するようになる回り止め部７の回転角を容易に設定することができ、生産性の向上に寄与する。
【００４３】
支持部８は、折り曲げられた板材によって形成されている。この構成によれば、鋼板をプレス加工や折り曲げ加工することによって、前述のボルトの脱落防止機能を発揮できる支持部８を製造できるので、剛性が高く、生産性に優れた取付脚装着用部材を提供できる。また、折り曲げる前の板材の幅寸法を調整することで、支持部８が支持機能を発揮する長さ範囲を容易に設定することができ、生産性の向上に寄与する。
【００４４】
（第２実施形態）
第２実施形態では、第１実施形態の回り止め部７の他の形態である回り止め部１０７について図１６〜図２１を参照して説明する。第２実施形態は、回り止め部１０７を除く構成要素が第１実施形態と同様であり、同様の作用効果を奏するものである。以下、第１実施形態と相違する内容について説明する。
【００４５】
図１６〜図２１に示すように、回り止め部１０７は、頭部６１に一体に設けられる平板状の基部７０と、支持部８の他端側部８１よりも外側において一端側部８０側へ向けて突出している平板状の突出部１７１とを有して、一体に形成されている。突出部１７１は、基部７０における側壁部５２側の一方の端部から一端側部８０側へ向けて突出している。突出部１７１の先端は、他端側部８１よりも一端側部８０側に位置している。回り止め部１０７は、上記構成を有する形状になるように、鋼板等の折り曲げられた板材によって形成されている。
【００４６】
上記構成によれば、図１９〜図２１に示すように、ナット６２を回転させて締め付けると、回転トルクの大きさに応じて頭部６１も回転するようになる。このとき、頭部６１と一体である回り止め部１０７も供回りする。回り止め部１０７の回転角度が所定の角度以上になると突出部１７１が側壁部５２および背壁部５３の少なくとも一方に接触するため、それ以上、頭部６１は回転しなくなり締結部材にロック機能が作用する。このように頭部６１をロックさせた状態で雌ねじ部側を締める続けることができる。第２実施形態で説明した回り止めのための構成は、前述した第１実施形態と同様の作用効果を奏する。
【００４７】
（第３実施形態）
第３実施形態では、第１実施形態の回り止め部７の他の形態である回り止め部２０７について図２２〜図２７を参照して説明する。第３実施形態は、回り止め部２０７を除く構成要素が第１実施形態と同様であり、同様の作用効果を奏するものである。以下、第１実施形態と相違する内容について説明する。
【００４８】
図２２〜図２７に示すように、回り止め部２０７は、他端側部８１に一体に設けられる平板状の基部２７０と、頭部６１よりも外側において頭部６１の側面に対向する平板状の回転阻止部２７１と、を有する。他端側部８１と基部２７０との固定は、溶接、かしめ等によって行うことができる。回転阻止部２７１は、基部２７０における両端部のそれぞれから装着部５０側へ向けて突出している。回転阻止部２７１は、頭部６１の側面のうち、対向する位置関係にある側面に対向するように設けられている。回り止め部２０７は、上記構成を有する形状になるように、鋼板等の折り曲げられた板材によって形成されている。支持部８は、一端側部８０がシュラウド部に固定されて、頭部６１に対向する他端側部８１に回り止め部２０７が設けられて、雄ねじ部６０が貫通孔５０ａから抜けないように締結部材の脱落を阻止する。
【００４９】
上記構成によれば、図２５〜図２７に示すように、ナット６２を回転させて締め付けると、回転トルクの大きさに応じて頭部６１も供回りするようになる。このとき、頭部６１の側面が、対向する回転阻止部２７１の少なくとも一方に接触するため、それ以上、頭部６１は回転しなくなり締結部材にロック機能が作用する。このように頭部６１をロックさせた状態で雌ねじ部側を締める続けることができるので、第３実施形態で説明した回り止めのための構成についても、前述した第１実施形態と同様の作用効果を奏する。
【００５０】
第３実施形態のファンシュラウドによれば、雄ねじ部６０に対するナット６２の締め付けによって頭部６１の側面が回転阻止部２７１に接触するように回転阻止部２７１が頭部６１の側面に対向している。回り止め部２０７は、雄ねじ部６０に対する雌ねじ部の締め付けによって頭部６１の側面が回転阻止部２７１に接触して締結部材の回転を規制する。この構成により、取付脚４４を台座部材５に固定する作業の際にナット６２を回転させて締めると、支持部８の他端側部８１に設けられた回転阻止部２７１が締結部材の回転を規制するので、雄ねじ部６０に対してナット６２を回転させることができる。さらに、頭部６１が支持部８の他端側部８１に対向しているため、締結部材が装着部５０から脱落しない状態を維持することができ、この状態で締結部材に対してナット６２を回転動作可能である。これらにより、取付脚４４の固定作業において、締結部材が装着部５０から脱落しない安定した状態で、締結部材に対してナット６２を締めつけできるとともに、装着部５０に対して締結部材が過剰に回り過ぎることを抑制できる。したがって、第３実施形態によれば、ファン４０および回転駆動部を支持する取付脚４４の装着に関して作業性の改善が図れるファンシュラウド３を提供できる。
【００５１】
第３実施形態のファンシュラウドによれば、ボルト６などの溶接やかしめ等に使用できる表面積が小さい部品に対して固定する必要がないため、装置における固定強度を高めることができる。
【００５２】
回転阻止部２７１は、対向する位置関係にある頭部６１の側面に対向するように設けられているので、供回り時の小さい回転角度であっても回転阻止部２７１を頭部６１の側面に接触させることができる。したがって、締結部材の締め付け時に、確実かつ迅速に回り止め機能を発揮させることができる。
【００５３】
（第４実施形態）
第４実施形態では、第３実施形態の回り止め部２０７の他の形態である回り止め部３０７について図２８〜図３３を参照して説明する。第４実施形態は、回り止め部３０７を除く構成要素が第３実施形態と同様であり、同様の作用効果を奏するものである。以下、第３実施形態と相違する内容について説明する。
【００５４】
図２８〜図３３に示すように、回り止め部３０７は、他端側部８１に一体に設けられ、頭部６１よりも外側において頭部６１の側面に対向する回転阻止部３７１を有する。他端側部８１と回転阻止部３７１は、一つの部品において一体に構成される部位でもよいし、二つの部品を固定して一体に結合される部位でもよい。他端側部８１と回転阻止部３７１との固定は、溶接、かしめ等によって行うことができる。回転阻止部３７１は、第３実施形態の回転阻止部２７１よりも車幅方向の寸法である厚さ寸法が大きく形成されている。回転阻止部３７１は、頭部６１の側面のうち、対向する位置関係にある側面に対向するように設けられている。支持部８は、一端側部８０がシュラウド部に固定されて、頭部６１に対向する他端側部８１に回り止め部３０７が設けられて、雄ねじ部６０が貫通孔５０ａから抜けないように締結部材の脱落を阻止する。
【００５５】
上記構成によれば、図３１〜図３３に示すように、ナット６２を回転させて締め付けると、回転トルクの大きさに応じて頭部６１も供回りするようになる。このとき、頭部６１の側面が、対向する回転阻止部３７０の少なくとも一方に接触するため、それ以上、頭部６１は回転しなくなり締結部材にロック機能が作用する。このように頭部６１をロックさせた状態で雌ねじ部側を締める続けることができるので、第４実施形態で説明した回り止めのための構成についても、前述した第３実施形態と同様の作用効果を奏する。
【００５６】
（他の実施形態）
この明細書の開示は、例示された実施形態に制限されない。開示は、例示された実施形態と、それらに基づく当業者による変形態様を包含する。例えば、開示は、実施形態において示された部品、要素の組み合わせに限定されず、種々変形して実施することが可能である。開示は、多様な組み合わせによって実施可能である。開示は、実施形態に追加可能な追加的な部分をもつことができる。開示は、実施形態の部品、要素が省略されたものを包含する。開示は、ひとつの実施形態と他の実施形態との間における部品、要素の置き換え、または組み合わせを包含する。開示される技術的範囲は、実施形態の記載に限定されない。開示される技術的範囲は、特許請求の範囲の記載によって示され、さらに特許請求の範囲の記載と均等の意味および範囲内での全ての変更を含むものと解されるべきである。
【００５７】
図３４に示すように、ファンシュラウド３が備える複数の台座部材５のうち、回り止め機能が得られるボルト６を用いて取付脚４４が固定される台座部材５は、立てた状態のファンシュラウド３の上側に固定されている。図３４のように、４つの取付脚４４が上下方向と左右方向とに延びるように設置される形態では、回転駆動部である従動プーリ４１から上方に延びる取付脚４４が固定される台座部材５に回り止め機能が得られるボルト６が取り付けられる。作業者は、この上側の台座部材５に取り付けられたボルト６に取付脚４４を仮固定した状態で、その他の台座部材５においてボルト９を強めに締め付けて各取付脚４４を設置する。作業者は、この状態でファン軸とリング状部３１の中心軸とが同軸になるように、調心する作業を行い、同軸になった状態で上側の台座部材５に取り付けたボルト６に対してナット６２を締めることでファン駆動装置４が容易に動かないように設置できる。さらに、ボルト６の横に位置するボルト９を含むすべてのボルト９を増し締めすることで、ファンシュラウド３に対するファン駆動装置４の装着が完了する。
【００５８】
図３５に示すように、ファンシュラウド３が備える複数の台座部材５のうち、回り止め機能が得られるボルト６を用いて取付脚４４が固定される台座部材５は、立てた状態のファンシュラウド３の上側の３か所に固定されている。図３５のように、ファンシュラウド３の中心よりも高い位置に３つの取付脚４４が装着される形態では、回転駆動部である従動プーリ４１から上方や斜め上方に延びる取付脚４４が固定される台座部材５に回り止め機能が得られるボルト６が取り付けられる。作業者は、ファンシュラウド３の中央よりも上側の３か所の台座部材５に取り付けられたボルト６に取付脚４４のそれぞれを仮固定した状態で、その他の下側２か所の台座部材５においてボルト９を強めに締め付けて各取付脚４４を設置する。作業者は、この状態でファン軸とリング状部３１の中心軸とが同軸になるように、調心する作業を行い、同軸になった状態で上側３か所の台座部材５に取り付けたボルト６に対してナット６２を締めることでファン駆動装置４が容易に動かないように設置できる。さらに上側３か所の台座部材５に取り付けられたボルト９を含むすべてのボルト９を増し締めすることで、ファンシュラウド３に対するファン駆動装置４の装着が完了する。
【００５９】
前述の実施形態において、固定部５１とリング状部３１との固定、基部７０と頭部６１との固定、一端側部８０とリング状部３１との固定については、耐荷重を確保できる種々の手段を採用でき、例えば溶接、かしめ等の手段を用いることができる。
【００６０】
前述の実施形態にも記載したように、実施形態のファンシュラウド３、熱交換器一体型ファンシュラウド２３、送風装置２３４は、バス以外の車両に搭載可能な装置である。
【００６１】
前述の実施形態において、台座部材５が固定されているファンシュラウド３の部位はリング状部３１であるが、ファンシュラウド３における固定部位はリング状部３１に限定するものではない。
【００６２】
前述の実施形態において説明した、台座部材、回り止め部、支持部は、鋼材等を例えばプレス加工することによって折り曲げて形成した部品であるが、このような製造方法に限定するものではない。これらの部品は、ファン駆動装置４を支持可能な所望の強度、剛性を有していれば、例えば、金型を用いて成形した樹脂成形品であってもよい。
【符号の説明】
【００６３】
２…ラジエータ（熱交換器）、  ３…ファンシュラウド、  ５…台座部材
６…ボルト（締結部材）、  ７，１０７，２０７，３０７…回り止め部
８…支持部、  ３１…リング状部（シュラウド部）、  ４０…ファン
４１…従動プーリ（回転駆動部）、  ４４…取付脚
５０…装着部、  ５０ａ…貫通孔、  ５１…固定部、  ５２…側壁部
６０…雄ねじ部、  ６２…ナット（雌ねじ部）  ６１…頭部、  ７１…突出部
８０…一端側部、  ８１…他端側部、  ２７１，３７１…回転阻止部
【図１】
2018122754.tif 000003
【図２】
2018122754.tif 000004
【図３】
2018122754.tif 000005
【図４】
2018122754.tif 000006
【図５】
2018122754.tif 000007
【図６】
2018122754.tif 000008
【図７】
2018122754.tif 000009
【図８】
2018122754.tif 000010
【図９】
2018122754.tif 000011
【図１０】
2018122754.tif 000012
【図１１】
2018122754.tif 000013
【図１２】
2018122754.tif 000014
【図１３】
2018122754.tif 000015
【図１４】
2018122754.tif 000016
【図１５】
2018122754.tif 000017
【図１６】
2018122754.tif 000018
【図１７】
2018122754.tif 000019
【図１８】
2018122754.tif 000020
【図１９】
2018122754.tif 000021
【図２０】
2018122754.tif 000022
【図２１】
2018122754.tif 000023
【図２２】
2018122754.tif 000024
【図２３】
2018122754.tif 000025
【図２４】
2018122754.tif 000026
【図２５】
2018122754.tif 000027
【図２６】
2018122754.tif 000028
【図２７】
2018122754.tif 000029
【図２８】
2018122754.tif 000030
【図２９】
2018122754.tif 000031
【図３０】
2018122754.tif 000032
【図３１】
2018122754.tif 000033
【図３２】
2018122754.tif 000034
【図３３】
2018122754.tif 000035
【図３４】
2018122754.tif 000036
【図３５】
2018122754.tif 000037